(57)【特許請求の範囲】
【請求項１】
走行する連続紙にプラウにて走行方向に折り目をつけて幅方向に２つ折り、３つ折り等に折りたたむプラウ折り装置において、
走行する連続紙の幅方向に離間して設けられるフレームに、上下に平行に離間する２本のガイドロッドを連結部材にて連結して支持し、
上記２本のガイドロッドにプラウ支持台の両端部を摺動自在に、かつ任意の位置に固定可能に支持し、
プラウ支持台の上下方向の１個所または複数の位置に、プラウの先端の向きを連続紙の幅方向に変更可能にしてプラウを着脱可能に固着し、かつプラウの先端姿勢をプラウ軸の回転方向に任意に変更可能にした
ことを特徴とするプラウ折り装置。
【発明の詳細な説明】
【０００１】
【発明の属する技術分野】
本発明は、輪転印刷機等において走行する連続紙を、折り目が連続紙の走行方向（縦方向）に向くようにしてプラウにて幅方向に２つ折り、あるいは３つ折り（Ｚ折り）するためのプラウ折り装置に関するものである。
【０００２】
【従来の技術】
図１の（ａ）に示すものは２つ折りの、また（ｂ）に示すものは３つ折りのそれぞれの印刷物ａ，ｂであり、それぞれはプラウ折り装置にて各折り目ｃをつけて、かつこの折り目に沿って折りたたまれている。
【０００３】
上記折り目ｃは図２（ａ），（ｂ）に示すように、例えば２つ折りの場合、１つのプラウｄの先端を連続紙ｅの中間に当接して下側から、あるいは上側から折り目ｃをつけ、このプラウｄの下流側に位置する一対の押圧ローラｆ，ｇにて上記折り目ｃでたたみ合せるようになっている。図２（ａ）は山折り、図２（ｂ）は谷折りをそれぞれ示す。
【０００４】
ところで、この種の従来のプラウ折り装置のプラウは２つ折りの場合は１個、３つ折りの場合は２個用いられるが、従来の各プラウは大きく移動できないように連続紙の幅方向に位置設定されており、また設置個数も限定されていた。
【０００５】
【発明が解決しようとする課題】
上記従来のプラウ折り装置にあっては、折りサイズ、及びプラウ折りの回数が限定され、複数の種類のプラウ折りを行う場合には、プラウを交換したり、別途プラウを増設する必要があり、折りサイズと折り回数の変更はやっかいである。
【０００６】
本発明は上記のことにかんがみなされたもので、折りサイズと折り回数の変更を容易に行うことができるようにしたプラウ折り装置を提供することを目的とするものである。
【０００７】
【課題を解決するための手段】
上記目的を達成するために、本発明に係るプラウ折り装置は、走行する連続紙にプラウにて走行方向に折り目をつけて幅方向に２つ折り、３つ折り等に折りたたむプラウ折り装置において、走行する連続紙の幅方向に離間して設けられるフレームに、上下に平行に離間する２本のガイドロッドを連結部材にて連結して支持し、上記２本のガイドロッドにプラウ支持台の両端部を摺動自在に、かつ任意の位置に固定可能に支持し、プラウ支持台の上下方向の１個所または複数の位置に、プラウの先端の向きを連続紙の幅方向に変更可能にしてプラウを着脱可能に固着し、かつプラウの先端姿勢をプラウ軸の回転方向に任意に変更可能にした構成になっている。
【０００８】
【作    用】
プラウを固着したプラウ支持台を移動することにより、プラウによる折り位置を自由に変更できる。また上記プラウはプラウ支持台において、連続紙の走行方向と直角方向に位置を変更することができる。また、山折り、谷折りに応じてプラウの向きを任意に変更できる。
【０００９】
【発明の実施の形態】
本発明の実施の形態を図３以下に基づいて説明する。図３から図６は本発明の第１の実施例に係る第１のプラウ折り装置Ａを示すもので、図中１ａ，１ｂは前後のフレーム、２ａ，２ｂは上下方向に平行に離間して上記両フレーム１ａ，１ｂに軸方向に摺動自在に支持されたガイドロッドである。この両ガイドロッド２ａ，２ｂのそれぞれの一端部が前側のフレーム１ａより前側で連結部材３にて連結されている。そしてこの連結部材３の中間部には支持筒４の一端が上記ガイドロッド２ａ，２ｂと平行にして固着してある。この支持筒４の内面の一部にはめねじが設けてあり、この支持筒４に調整ねじ軸５が上記めねじに螺合して貫挿してある。この調整ねじ軸５の先端は支持筒４より突出して前側のフレーム１ａに回転自在に、かつ軸方向に係合して支持されている。調整ねじ軸５の基端にはハンドル６が固着してある。また支持筒４には上記調整ねじ軸５の回転を固定する固定ねじ７が設けてある。
【００１０】
８はプラウ支持台であり、このプラウ支持台８は両フーム１ａ，１ｂの内側に位置して両端部が上記ガイドロッド２ａ，２ｂに摺動自在に支持されている。９はこのプラウ支持台８をガイドロッド２ａに固定する固定ねじである。プラウ支持台８の中間部には２つ割りの軸保持部材８ａが設けてある。この軸保持部材８ａをボルト８ｃにて固着することによりプラウ装置１０の軸１１の基端部が回転方向に任意の姿勢で固定保持されるようになっている。
【００１１】
プラウ装置１０は上記軸１１の先端部に固着されるプラウ１２と、プラウ１２の背後に回転自在に設けられたプラウローラ１３とからなっている。プラウ１２の固定はプラウ１２に設けたスリ割り部をボルトにて締めることによりなされるようになっている。
【００１２】
図７は本発明の第２の実施例に係る第２のプラウ折り装置Ｂを示すもので、この実施例のものは、プラウ支持台８の上下方向２個所に２つ割りの軸保持部８ａ，８ｂが設けてあり、この各軸保持部材８ａ，８ｂにてプラウ装置１０ａの軸１１ａが付け替え可能に、かつ回転方向に任意の姿勢で固定保持されるようになっている。このプラウ装置１０ａはプラウ支持台８の軸保持部８ａ，８ｂに対して選択的に用いるものであって、プラウ支持台８に対して向きを変えて装着できるようになっている。
【００１３】
上記構成において、各実施例共、プラウ支持台８を移動することにより、またプラウ支持台８に対して左右方向に選択的に向けることによりプラウ装置１０，１０ａのプラウ１２の先端位置が連続紙の幅方向に自由に変えられる。
【００１４】
すなわち、図３に示す第１の実施例は、ハガキサイズ２つ折りの場合であり、ハガキサイズ２つ折り用の連続紙Ｗ１の幅方向中央にプラウ１２の先端が対向するようにプラウ支持台８の位置をセットする。このとき、細かな位置調整は、ハンドル６にて調整ねじ軸５を回転してフレーム１ａ，１ｂに対してガイドロッド２ａ，２ｂを細かく移動することにより行われる。上記プラウ１２の先端を上向きにして連続紙Ｗ１をこれに押しつけることにより山折り状のハガキサイズ２つ折りがなされる。
【００１５】
図７に示した第２の実施例は、Ａ４サイズ２つ折り、ハガキサイズ３つ折り等の幅が広い連続紙Ｗ２，Ｗ３に折り目を入れるもので、このプラウ装置１０ａのプラウロータ１３ａの長さが第１の実施例のプラウ装置１０のプラウロータ１３より長くなっている。
【００１６】
図７において、実線で示した状態のプラウ装置１０ａは、Ａ４サイズ２つ折り用の連続紙Ｗ２の幅方向中央にプラウ１２ａの先端が位置するように、プラウ支持台８の下側の軸保持部８ａに下側へ向けてセットしてある。この場合は、連続紙Ｗ２は谷折り状に２つ折りされる。
【００１７】
図７において、鎖線で示す形態は、プラウ装置１０ａを付け替えて、プラウ支持台８の他の軸保持部８ｂの位置に逆向きに装着している。そしてこの場合のプラウ装置１０ａのプラウ１２ａは下向きにして、ハガキサイズ３つ折り用の連続紙Ｗ３の谷折り線Ｃ１にくるようにプラウ支持台８を移動してセットし、この連続紙Ｗ３に谷折り線Ｃ１をつけて折りたたむようにしている。この連続紙Ｗ３の他の山折り線Ｃ２は連続紙Ｗ３の走行方向の他の位置にセットした他のプラウ装置（第１の実施例に示したプラウ装置１０）にて折り目をつけて折りたたむようにしている。
【００１８】
図８から図１０は上記両実施例のプラウ折り装置Ａ，Ｂを組み込んだ紙折り装置、及び各折りサイズの紙パス設定を示すもので、紙折り装置の連続紙の走行方向上流側に、例えば第２のプラウ折り装置Ｂを、下流側に第１のプラウ折り装置Ａが配置されている。
【００１９】
図８はハガキサイズ３つ折りの場合であり、第２のプラウ折り装置Ｂは、図７で鎖線で示した状態、すなわち、プラウ１２ａの先端が連続紙Ｗ３の谷折り線Ｃ１に対応する位置で下向きにセットしてあり、第１のプラウ折り装置１０は図３に示した状態、すなわち、プラウ１２の先端が図７で示した連続紙Ｗ３の山折り線Ｃ２に対応する位置で上向きにセットしてある。
【００２０】
また上記第２のプラウ折り装置Ｂの上流側にはガイドローラ１４が、下流側には一対の押圧ローラからなる第１の押圧ローラ装置１５ａが、また第１のプラウ折り装置Ａの上流側にはガイドローラの代りとなる第２の押圧ローラ装置１５ｂが、また下流側には第３の押圧ローラ装置１５ｃが配置されている。
【００２１】
この図８に示した紙パス設定において、ハガキサイズ３つ折り用の連続紙Ｗ３は、第２のプラウ折り装置Ｂにて図７に示した連続紙Ｗ３の第１の折り線Ｃ１にて谷折りされ、第１のプラウ折り装置Ａにて第２の折り線Ｃ２にて山折りされて３つ折りされる。
【００２２】
図９はハガキサイズ２つ折りの場合であり、この場合の紙パス設定は第２のプラウ折り装置Ｂをバイパスし、第１のプラウ折り装置Ａにて図３に示した連続紙Ｗ１の中央の折り線にて山折りされて２つ折りされる。
【００２３】
図１０はＡ４サイズ２つ折りの場合であり、この場合の紙パス設定は第１のプラウ折り装置Ａをバイパスし、第２のプラウ折り装置Ｂにて図７の連続紙Ｗ２の中央の折り線にて谷折りされて２つ折りされる。この場合、比較的幅が広い連続紙Ｗ２を２つ折りするので、折り動作に要する連続紙Ｗ２の走行方向のスパンは長く必要になる。このため、上流側のガイドローラ１４ａと、下流側の第２の押圧ローラ１５ｂを用いる。
【００２４】
【発明の効果】
本発明によれば、プラウを連続紙の幅方向に大きく移動することができることにより、１個のプラウで折りサイズを大きく変えることができ、折りサイズの変更を容易に行うことができる。また、上記プラウを連続紙の走行方向と直角方向につけ替えることができることにより、連続紙の走行方向に複数の本発明に係るプラウ折り装置を配置することにより、上記折りサイズの変更と共に、折り回数を容易に変更することができる。
【図面の簡単な説明】
【図１】（ａ）は２つ折りの印刷物を示す斜視図である。
（ｂ）は３つ折りの印刷物を示す斜視図である。
【図２】（ａ），（ｂ）は２つ折りの折り目をつけて山折り、谷折りに２つ折りする様子を示す斜視図である。
【図３】本発明の第１の実施例を示す構成説明図である。
【図４】図３のＸ−Ｘ線に沿う断面矢視図である。
【図５】図３のＹ矢視図である。
【図６】図３のＺ矢視図である。
【図７】本発明の第２の実施例を示す構成説明図である。
【図８】ハガキサイズ３つ折りの紙パス設定図である。
【図９】ハガキサイズ２つ折りの紙パス設定図である。
【図１０】Ａ４サイズ２つ折りの紙パス設定図である。
【符号の説明】
１ａ，１ｂ…フレーム、２ａ，２ｂ…ガイドロッド、３…連結部材、４…支持筒、５…調整ねじ軸、６…ハンドル、７，９…固定ねじ、８…プラウ支持台、８ａ，８ｂ…軸保持部材、１０，１０ａ…プラウ装置、１１，１１ａ…軸、１２，１２ａ…プラウ、１３，１３ａ…プラウローラ、１４，１４ａ…ガイドローラ、１５ａ，１５ｂ，１５ｃ…押圧ローラ装置、Ｗ１，Ｗ２，Ｗ３…連続紙。
【図１】
0003968617.tif 000002
【図２】
0003968617.tif 000003
【図３】
0003968617.tif 000004
【図４】
0003968617.tif 000005
【図５】
0003968617.tif 000006
【図６】
0003968617.tif 000007
【図７】
0003968617.tif 000008
【図８】
0003968617.tif 000009
【図９】
0003968617.tif 000010
【図１０】
0003968617.tif 000011